(57)【要約】【課題】高い絶縁性を有し、構造が簡単で組立性が良い中継コネクタの提供を目的とする。【解決手段】高電圧用の中継コネクタであって、中継コネクタは、プラグピンコネクタとソケットコンタクトコネクタとからなり、プラグピンコネクタは、ランス係止部を有する中空状のプラグピン保持部と、その外周側にソケット内筒挿入溝を設けてプラグピン外筒部を有し、プラグピンは、ランスを有するとともにプラグピン保持部に挿入及びランス係止してあり、ソケットコンタクトコネクタは、内周側にランス係止部を有するソケット内筒部とその外周側にプラグピン外筒挿入溝を設けてソケット外筒部を有し、ソケットコンタクトは、ランスを有するとともにソケット内筒部に挿入及びランス係止してあり、ソケット内筒部がプラグピンコネクタ側のソケット内筒挿入溝に嵌入し、プラグピン外筒部がソケットコンタクトコネクタ側のプラグピン外筒挿入溝に嵌入するものである。【選択図】  図１
2006286535.tif 000002
【特許請求の範囲】
【請求項１】
高電圧用の中継コネクタであって、
中継コネクタは、プラグピンコネクタとソケットコンタクトコネクタとからなり、
プラグピンコネクタは、ランス係止部を有する中空状のプラグピン保持部と、その外周側にソケット内筒挿入溝を設けてプラグピン外筒部を有し、
プラグピンは、ランスを有するとともにプラグピン保持部に挿入及びランス係止してあり、ソケットコンタクトコネクタは、内周側にランス係止部を有するソケット内筒部とその外周側にプラグピン外筒挿入溝を設けてソケット外筒部を有し、
ソケットコンタクトは、ランスを有するとともにソケット内筒部に挿入及びランス係止してあり、
ソケット内筒部がプラグピンコネクタ側のソケット内筒挿入溝に嵌入し、プラグピン外筒部がソケットコンタクトコネクタ側のプラグピン外筒挿入溝に嵌入するものであることを特徴とする中継コネクタ。
【請求項２】
プラグピンコネクタ及びソケットコンタクトコネクタとケーブルとの接続部に絶縁性チューブを被覆してあることを特徴とする請求項１記載の中継コネクタ。
【請求項３】
プラグピンコネクタとソケットコンタクトコネクタとの接続状態をロックするロック手段を備えたことを特徴とする請求項１又は２記載の中継コネクタ。
【発明の詳細な説明】
【技術分野】
【０００１】
本発明は、ケーブルを中継する中継コネクタに関し、特に高電圧用の中継コネクタに係る。
【背景技術】
【０００２】
電力又は電気信号をケーブル接続する場合には電気・電子機器の組立性、保守性等により途中に中継コネクタを使用する場合が多い。
高電圧用のコネクタには高い絶縁性が要求されることから、図２に示すように、プラグピン１５１とケーブル１５０の接続部を樹脂に埋め込んだ一体成型体にし、一方ソケットコンタクト１３１もケーブル１３０との接続部を樹脂に埋め込んだ一体成型体にして相互に嵌合するものが公知である。
しかし、成型時の密着性が不十分な場合にはケーブルと樹脂成型体（ハウジング）との間に隙間が生じ、この隙間に沿って電流が漏れる恐れがあった。
また、プラグピン等を接続したケーブルをインサート成型することから、生産性が悪かった。
また、ケーブルを配設する施工現場においては、ケーブルを一体成型した中継コネクタでは、中継コネクタ側でケーブルを切断してケーブル長さの調整を行うことができない問題があった。
特開平１０−８３８５８号公報には、ケーブルとの接続部にゴム製ブッシュを配置する高電圧用コネクタを開示するが、構造が複雑で組立性がよくない。
【０００３】
【特許文献１】特開平１０−８３８５８号公報
【発明の開示】
【発明が解決しようとする課題】
【０００４】
本発明は上記技術的課題に鑑みて、高い絶縁性を有し、構造が簡単で組立性が良い中継コネクタの提供を目的とする。
【課題を解決するための手段】
【０００５】
本発明は、高電圧用の中継コネクタであって、中継コネクタは、プラグピンコネクタとソケットコンタクトコネクタとからなり、プラグピンコネクタは、ランス係止部を有する中空状のプラグピン保持部と、その外周側にソケット内筒挿入溝を設けてプラグピン外筒部を有し、プラグピンは、ランスを有するとともにプラグピン保持部に挿入及びランス係止してあり、ソケットコンタクトコネクタは、内周側にランス係止部を有するソケット内筒部とその外周側にプラグピン外筒挿入溝を設けてソケット外筒部を有し、ソケットコンタクトは、ランスを有するとともにソケット内筒部に挿入及びランス係止してあり、ソケット内筒部がプラグピンコネクタ側のソケット内筒挿入溝に嵌入し、プラグピン外筒部がソケットコンタクトコネクタ側のプラグピン外筒挿入溝に嵌入するものであることを特徴とする。
【０００６】
プラグピンコネクタにランス係止部を有する中空状のプラグピン保持部を設けたことにより、ケーブルの端部にプラグピンを接続し、プラグピンをプラグピン保持部の中空部に挿入するだけでプラグピンのランスがプラグピン保持部に係止する。
また、ソケットコンタクトコネクタに、内周側にランス係止部を有するソケット内筒部を設けたことにより、ケーブルの端部にソケットコンタクトを接続し、ソケット内筒部に挿入するだけでソケットコンタクトのランスがソケット内筒部に係止する。
プラグピンコネクタとソケットコンタクトコネクタを接続すると、ソケット内筒部がプラグピンコネクタ側のソケット内筒挿入溝に嵌入し、プラグピン外筒部がソケットコンタクトコネクタ側のプラグピン外筒挿入溝に嵌入する。
従って、プラグピンとソケットコンタクトの接続部の外周に相互の絶縁筒が重なり合うので、少なくとも三重以上の絶縁壁が形成されるのでプラグピンコネクタとソケットコンタクトコネクタとの相互の接続面での沿面距離を長く出来て絶縁性が高い。
【０００７】
プラグピンコネクタ及びソケットコンタクトコネクタとケーブルとの接続部に絶縁性チューブを被覆することで、コネクタ内部とケーブル被覆部表面との隙間を経路とするリークは防止する。
従って、絶縁性チューブは弾力性を有してケーブルとコネクタとの接続部を密着するのが良く熱収縮性のチューブであってもよい。
【０００８】
なお、プラグピンコネクタとソケットコンタクトコネクタとの間に接続状態をロックするロック手段を設けると、高電圧用中継コネクタとしての安全性が向上する。
【発明の効果】
【０００９】
本発明に係る高電圧用中継コネクタは、交互に筒状の外筒部、ソケット内筒部を突出させて端子部分を覆うことから、端子部から嵌合面を経てコネクタ外部へ至る経路の沿面距離を非常に長く出来る。
また、接続したケーブルとコネクタとの間の隙間を絶縁性チューブを被覆して塞ぐことから、端子部分からケーブルの被覆表面に沿ったコネクタ外部へのリークに対する絶縁性が高い。
【００１０】
ランスを有するプラグピン又はソケットコンタクトを挿入し、絶縁性チューブで被覆するだけで組立てられるので現地施工性に優れる。
【発明を実施するための最良の形態】
【００１１】
本発明に係る中継コネクタの望ましい構造について以下図面を用いて説明する。
図１（イ）はケーブルを取り付ける前のソケットコンタクトコネクタ２０、プラグピンコネクタ４０の縦断面図を示し、図１（ロ）はケーブルを接続した状態を示し、図１（ハ）はケーブルを接続したコネクタを嵌合接続した状態を示す。
図１（イ）においてソケットコンタクトコネクタ２０は、コネクタ嵌合方向に筒状に突出させたソケット内筒部２６と、その反対側に筒状に突出させたチューブ取付筒部２７を有し、それらを連通した貫通孔状のケーブル挿入孔２４を形成している。
熱収縮チューブ２８は内面に接着剤２８ｂを有して、嵌合方向の反対側は余らせて、所定長さの余長部２８ａを設けてチューブ取付筒部に備える。
なお、熱収縮チューブは予めコネクタに備えても良いが、ケーブル接続後に取り付けても良い。
ソケット内筒部２６の外側には筒状の隙間からなるプラグピン外筒挿入溝２３を設け、ソケット内筒部２６とチューブ取付筒部２７の境界部を構成するソケットコンタクトコネクタベース部２１から嵌合方向に筒状に突出させたソケット外筒部２２を備えている。
このソケット外筒部２２はソケット内筒部２６よりも嵌合方向側にせり出させて、ソケット内筒部２６を覆うように設けている。
プラグピンコネクタ４０は筒状のプラグピンコネクタベース部４１から嵌合方向に略筒状に突出させたプラグピン保持部４６と、その反対側に筒状に突出させたチューブ取付筒部４７とを備えている。
そして、プラグピン保持部４６とプラグピンコネクタベース部４１とチューブ取付筒部４７は、それぞれの筒内空間を連通させて貫通孔状のケーブル挿入孔４４を形成している。
熱収縮チューブ４８は内面に接着剤４８ｂを有し、チューブ取付筒部外周４７ａに取り付け、嵌合方向の反対側は余らせて、所定長さの余長部４８ａを備えている。
プラグピン保持部４６の外側には筒状の隙間からなるソケット内筒挿入溝４３を設け、プラグピンコネクタベース部４１（プラグピン保持部４６と第２チューブ取付筒部４７との境界部）から嵌合方向に筒状に突出させたプラグピン外筒部４２をプラグピン保持部４６よりも嵌合方向側へせり出させて設けている。
図１に示すコネクタの実施例では、ソケットコンタクトコネクタ２０とプラグピンコネクタ４０との嵌合状態をロックするための、ロック爪部２９をソケットコンタクトコネクタ２０に形成し、プラグピンコネクタ４０にはロック爪部２９を係合するロック受け部４９を形成している。
【００１２】
ソケットコンタクトコネクタ２０とプラグピンコネクタ４０にはそれぞれ開口部２８ｃ、４８ｃから接続端子を接続したケーブル３０、５０を差し込み、図１（ロ）に示すように係止する。
ソケットコンタクトコネクタ２０のケーブル挿入孔２４には、端子としてソケットコンタクト３１を圧着して導体部３０ａに取り付けたケーブル３０を挿入している。
そして、ソケット内筒部内壁２６ａを内向きに突出させて形成したランス係止部２６ｂにソケットコンタクト３１のランス３１ａを係止させている。
また、ソケットコンタクト３１の挿入位置を係止部２６ｃで規制している。
熱収縮チューブ２８は熱風をあてて熱収縮させ、チューブ２８内側の接着剤２８ｂを溶かしてケーブル被覆部３０ｂに密着させ接着する。
この熱収縮チューブ２８によりチューブ取付筒部２７とケーブル被覆部３０ｂ間の隙間２５の開口部２５ａを密封して絶縁している。
プラグピンコネクタ４０のケーブル挿入孔４４には端子としてプラグピン５１を圧着して導体部５０ａに取り付けたケーブル５０を挿入している。
そして、プラグピン保持部４６に凹み状に形成したランス係止部４６ａにプラグピン５１のランス５１ａを係止させている。
また、プラグピン５１の挿入位置は係止部４６ｂで規制している。
そして熱収縮チューブ４８を熱収縮させてケーブル被覆部５０ｂに密着させ接着し、チューブ取付筒部４７とケーブル被覆部５０ｂ間の隙間４５の開口部４５ａを密封し塞ぎ、絶縁している。
このケーブルの接続はケーブル３０、５０の長さを所定長さに切って、その先端の被覆部を剥いてソケットコンタクト３１あるいはプラグピン５１を圧着により取り付け、ケーブル挿入孔２４、４４へそれぞれ挿し込み、熱収縮チューブ２８、４８を収縮させるだけであることから、ケーブル装着作業を施工現場で簡単に行うことができる。
このため、ケーブルの長さの現場合わせが出来、それによりケーブル長さを事前計測する必要が無いため非常に経済的で効率が良く、また保守性にも優れている。
【００１３】
ケーブルを装着したコネクタ同士は図１（ハ）に示すように互いに嵌合させる。
ケーブル挿入孔２４のソケット内筒部２６内でソケットコンタクト３１とプラグピン５１が嵌合してケーブルを接続している。
このソケットコンタクト３１とプラグピン５１とが嵌合した端子部１２の外側は、プラグピン保持部４６を、その突出方向の反対側から筒状にソケット内筒部２６が突出して呑み込むように覆っている。
このソケット内筒部２６を、その突出方向の反対側から筒状に突出して、プラグピン外筒挿入溝２３へ嵌合したプラグピン外筒部４２が呑み込むように覆い、このプラグピン外筒部４２を、その突出方向の反対側から筒状に突出したソケット外筒部２２が呑み込むように覆っている。
これにより、ソケットコンタクトコネクタ２０とプラグピンコネクタ４０の端子部１２からコネクタ２０、４０の外側へ、嵌合面に沿って至る経路の沿面距離を、交互に多重に形成した壁面により非常に長くして絶縁性を非常に高くしている。
また、端子部１２からケーブル被覆部３０ｂ、５０ｂに沿った経路は隙間２５、４５の開口部２５ａ、４５ａを熱収縮チューブ２８、４８でそれぞれ塞ぎ絶縁していることから、絶縁性に優れた中継コネクタとなっている。
ソケットコンタクトコネクタ２０とプラグピンコネクタ４０は、ロック受け部４９にロック爪部２９が係合して、嵌合状態をロックしている。
このロックはロック爪部２９の押し込み部２９ａを押すことで解除できるため、ハウジング２０、４０同士の嵌合解除も簡単に行える。
【図面の簡単な説明】
【００１４】
【図１】本発明に係る高電圧用中継コネクタの実施例の縦断面図を示す。
【図２】従来の高電圧用中継コネクタの実施例の縦断面図を示す。
【符号の説明】
【００１５】
１０    高電圧用中継コネクタ
２０    ソケットコンタクトコネクタ
２２    ソケット外筒部
２３    プラグピン外筒挿入溝（隙間）
２４    ケーブル挿入孔
２５    隙間
２６    ソケット内筒部
２６ｂ  ソケット内筒部ランス係止部
２７    チューブ取付筒部
２８    熱収縮チューブ
２９    ロック爪部
２９ａ  押し込み部
３０    ケーブル
３１    ソケットコンタクト
３１ａ  コンタクトランス
４０    プラグピンコネクタ
４２    プラグピン外筒部
４３    ソケット内筒挿入溝（隙間）
４４    ケーブル挿入孔
４６    プラグピン保持部
４６ａ  ランス係止部
４７    チューブ取付筒部
４９    ロック受け部
５０    ケーブル
５１    プラグピン
５１ａ  プラグランス
【図１】
2006286535.tif 000003
【図２】
2006286535.tif 000004